(57)【特許請求の範囲】
【請求項１】
冷蔵庫に適用される温度調節方法であって、
前記冷蔵庫を使用する必要のあるターゲットユーザを確定するステップと、
前記ターゲットユーザの食品に対するターゲット嗜好情報であって、少なくともターゲット食品種類、ターゲット食事時刻及びターゲット食品状態を含むターゲット嗜好情報を取得するステップと、
前記ターゲット食品種類に基づいて、前記冷蔵庫に現在保存されている食品からターゲット食品を確定するステップと、
前記ターゲット食品が前記ターゲット食事時刻で前記ターゲット食品状態に達するように、前記ターゲット食品の保存エリアの温度を調節するステップとを含み、
前記ターゲットユーザの食品に対するターゲット嗜好情報を取得するステップは、
前記ターゲットユーザが前記冷蔵庫を使用したことがあるか否かを判断するステップと、
前記ターゲットユーザが前記冷蔵庫を使用したことがある場合、前記冷蔵庫に予め記憶されている前記ターゲットユーザの過去の嗜好情報を取得して前記ターゲット嗜好情報とするステップと、
前記ターゲットユーザが前記冷蔵庫を使用したことがない場合、前記冷蔵庫が接続されているＬＡＮを介して前記ターゲットユーザの前記ターゲット嗜好情報を検索するステップと、
を含むことを特徴とする方法。
【請求項２】
前記冷蔵庫を使用する必要のあるターゲットユーザを確定するステップは、
現在既に冷蔵庫の管理アプリケーションにログインしている第１のユーザを前記ターゲットユーザとして確定するステップを含み、
前記冷蔵庫の管理アプリケーションは、予め前記冷蔵庫とバインディングされている
ことを特徴とする請求項１に記載の方法。
【請求項３】
前記冷蔵庫を使用する必要のあるターゲットユーザを確定するステップは、
前記冷蔵庫が接続されているＬＡＮにおいて現在オンライン状態である第２のユーザを前記ターゲットユーザとして確定するステップを含む
ことを特徴とする請求項１に記載の方法。
【請求項４】
前記冷蔵庫を使用する必要のあるターゲットユーザを確定するステップは、
全地球測位システムを介して端末が現在位置している位置情報を取得するステップと、
前記位置情報に基づいて、前記端末が前記冷蔵庫から所定距離以内に位置しているか否かを判断するステップと、
前記端末が前記所定距離以内に位置している場合、前記端末の第３のユーザを前記ターゲットユーザとして確定するステップと
を含み、
前記端末は予め前記冷蔵庫にバインディングされている
ことを特徴とする請求項１に記載の方法。
【請求項５】
前記冷蔵庫を使用する必要のあるターゲットユーザを確定するステップは、
前記冷蔵庫に接続されているカメラを介して前記ターゲットユーザを取得するステップを含む
ことを特徴とする請求項１に記載の方法。
【請求項６】
前記冷蔵庫を使用する必要のあるターゲットユーザを確定するステップは、
食事をする必要のある第４のユーザを前記ターゲットユーザとして確定するステップを含む
ことを特徴とする請求項１に記載の方法。
【請求項７】
前記冷蔵庫に現在保存されている食品からターゲット食品を確定するステップは、
前記冷蔵庫の内部に設けられたカメラを介して前記現在保存されている食品から前記ターゲット食品を確定するステップを含む
ことを特徴とする請求項１に記載の方法。
【請求項８】
前記ターゲット嗜好情報はターゲット食品食事量をさらに含み、
前記方法は、
前記ターゲット食品食事量に基づいて、前記冷蔵庫内の前記ターゲット食品の現在保存量が十分であるか否かを判断するステップと、
前記現在保存量が十分でない場合、前記ターゲット食品の現在保存量が十分でない旨の通知情報を前記ターゲットユーザに送信するステップと
をさらに含むことを特徴とする請求項１に記載の方法。
【請求項９】
冷蔵庫に適用される温度調節装置であって、
前記冷蔵庫を使用する必要のあるターゲットユーザを確定するための第１の確定モジュールと、
前記ターゲットユーザの食品に対するターゲット嗜好情報であって、少なくともターゲット食品種類、ターゲット食事時刻及びターゲット食品状態を含むターゲット嗜好情報を取得するための取得モジュールと、
前記ターゲット食品種類に基づいて、前記冷蔵庫に現在保存されている食品からターゲット食品を確定するための第２の確定モジュールと、
前記ターゲット食品が前記ターゲット食事時刻で前記ターゲット食品状態に達するように、前記ターゲット食品の保存エリアの温度を調節するための調節モジュールとを備え、
前記取得モジュールは、
前記ターゲットユーザが前記冷蔵庫を使用したことがあるか否かを判断するための第1の判断サブモジュールと、
前記ターゲットユーザが前記冷蔵庫を使用したことがある場合、前記冷蔵庫に予め記憶されている前記ターゲットユーザの過去の嗜好情報を取得して前記ターゲット嗜好情報とするための第1の取得サブモジュールと、
前記ターゲットユーザが前記冷蔵庫を使用したことがない場合、前記冷蔵庫が接続されているＬＡＮを介して前記ターゲットユーザの前記ターゲット嗜好情報を検索するための検索サブモジュールと
を備えることを特徴とする装置。
【請求項１０】
前記第１の確定モジュールは、
現在既に冷蔵庫の管理アプリケーションにログインしている第１のユーザを前記ターゲットユーザとして確定するための第１の確定サブモジュールを備え、
前記冷蔵庫の管理アプリケーションは、予め前記冷蔵庫とバインディングされている
ことを特徴とする請求項９に記載の装置。
【請求項１１】
前記第１の確定モジュールは、
前記冷蔵庫が接続されているＬＡＮにおいて現在オンライン状態である第２のユーザを前記ターゲットユーザとして確定するための第２の確定サブモジュールを備える
ことを特徴とする請求項９に記載の装置。
【請求項１２】
前記第１の確定モジュールは、
全地球測位システムを介して端末が現在位置している位置情報を取得するための第２の取得サブモジュールと、
前記位置情報に基づいて、前記端末が前記冷蔵庫から所定距離以内に位置しているか否かを判断するための第２の判断サブモジュールと、
前記端末が前記所定距離以内に位置している場合、前記端末の第３のユーザを前記ターゲットユーザとして確定するための第３の確定サブモジュールと
を備え、
前記端末は予め前記冷蔵庫にバインディングされている
ことを特徴とする請求項９に記載の装置。
【請求項１３】
前記第１の確定モジュールは、
前記冷蔵庫に接続されているカメラを介して前記ターゲットユーザを取得するための第３の取得サブモジュールを備える
ことを特徴とする請求項９に記載の装置。
【請求項１４】
前記第１の確定モジュールは、
食事をする必要のある第４のユーザを前記ターゲットユーザとして確定するための第４の確定サブモジュールを備える
ことを特徴とする請求項９に記載の装置。
【請求項１５】
前記第２の確定モジュールは、
前記冷蔵庫の内部に設けられたカメラを介して前記現在保存されている食品から前記ターゲット食品を確定するための第５の確定サブモジュールを備える
ことを特徴とする請求項９に記載の装置。
【請求項１６】
前記ターゲット嗜好情報はターゲット食品食事量をさらに含み、
前記装置は、
前記ターゲット食品食事量に基づいて、前記冷蔵庫内の前記ターゲット食品の現在保存量が十分であるか否かを判断するための判断モジュールと、
前記現在保存量が十分でない場合、前記ターゲット食品の現在保存量が十分でない旨の通知情報を前記ターゲットユーザに送信するための送信モジュールと
をさらに備えることを特徴とする請求項９に記載の装置。
【請求項１７】
プロセッサと、
前記プロセッサにより実行可能なインストラクションを記憶するためのメモリと
を備え、
前記プロセッサは、
前記冷蔵庫を使用する必要のあるターゲットユーザを確定し、
前記ターゲットユーザの食品に対するターゲット嗜好情報であって、少なくともターゲット食品種類、ターゲット食事時刻及びターゲット食品状態を含むターゲット嗜好情報を取得し、
前記ターゲット食品種類に基づいて、前記冷蔵庫に現在保存されている食品からターゲット食品を確定し、
前記ターゲット食品が前記ターゲット食事時刻で前記ターゲット食品状態に達するように、前記ターゲット食品の保存エリアの温度を調節し、
前記ターゲットユーザの食品に対するターゲット嗜好情報を取得する際には、
前記ターゲットユーザが前記冷蔵庫を使用したことがあるか否かを判断し、
前記ターゲットユーザが前記冷蔵庫を使用したことがある場合、前記冷蔵庫に予め記憶されている前記ターゲットユーザの過去の嗜好情報を取得して前記ターゲット嗜好情報とし、
前記ターゲットユーザが前記冷蔵庫を使用したことがない場合、前記冷蔵庫が接続されているＬＡＮを介して前記ターゲットユーザの前記ターゲット嗜好情報を検索する
ように構成されることを特徴とする温度調節装置。
【請求項１８】
プロセッサに実行されることにより、請求項１から請求項８のいずれか１項に記載の方法を実現することを特徴とするプログラム。
【請求項１９】
請求項１８に記載のプログラムが記録された記録媒体。
【発明の詳細な説明】
【相互参照】
【０００１】
本発明は、出願番号がＣＮ２０１５１０４６４７４１．Ｘであって、出願日が２０１５年７月３１日である中国特許出願に基づき優先権を主張し、当該中国特許出願のすべての内容を本願に援用する。
【技術分野】
【０００２】
本発明は、制御技術分野に関し、特に温度調節方法及び装置、プログラム及び記録媒体に関する。
【背景技術】
【０００３】
科学技術の発展と人々の生活水準の向上に伴って、冷蔵庫という家電製品が家庭で広く使われるようになった。従来技術において、冷蔵庫の温度調節は、既にある程度までスマート化が進んでいる。例えば、ユーザが、冷蔵庫内のあるエリアの温度、例えば冷蔵エリアの冷蔵温度を所望温度に設定すると、冷蔵庫は、前記冷蔵エリアの温度を前記冷蔵温度に達するまで自動的に調節することができる。または、ユーザが、予め冷蔵庫にバインディングされている冷蔵庫管理アプリケーションにログインして、前記冷蔵庫管理アプリケーションを介して冷蔵庫の各エリアの温度を設定すると、冷蔵庫は、ユーザにより設定された各エリアの温度に基づいて温度の調節を行うことができる。
【０００４】
しかしながら、従来技術において、冷蔵庫の温度調節は、ある程度スマート化が進んでいるものの、ユーザが手動で温度設定をしてはじめて、冷蔵庫が設定された温度に基づいて調節するので、そのスマート化のレベルが低く、ユーザ体験の低下を招くという問題点があった。
【発明の概要】
【発明が解決しようとする課題】
【０００５】
本発明は、以上の従来技術における冷蔵庫の温度調節に対するスマート化のレベルが低いという問題点に鑑みてなされたものであり、以上の問題点を解決するための温度調節方法及び装置、プログラム及び記録媒体を提供する。
【課題を解決するための手段】
【０００６】
本発明の実施例に係る第１様態によれば、
冷蔵庫に適用される温度調節方法であって、
前記冷蔵庫を使用する必要のあるターゲットユーザを確定するステップと、
前記ターゲットユーザの食品に対するターゲット嗜好情報であって、少なくともターゲット食品種類、ターゲット食事時刻及びターゲット食品状態を含むターゲット嗜好情報を取得するステップと、
前記ターゲット食品種類に基づいて、前記冷蔵庫に現在保存されている食品からターゲット食品を確定するステップと、
前記ターゲット食品が前記ターゲット食事時刻で前記ターゲット食品状態に達するように、前記ターゲット食品の保存エリアの温度を調節するステップと
を含む方法を提供する。
【０００７】
前記冷蔵庫を使用する必要のあるターゲットユーザを確定するステップは、
現在既に冷蔵庫の管理アプリケーションにログインしている第１のユーザを前記ターゲットユーザとして確定するステップを含んでもよく、
前記冷蔵庫の管理アプリケーションは、予め前記冷蔵庫とバインディングされている。
【０００８】
前記冷蔵庫を使用する必要のあるターゲットユーザを確定するステップは、
前記冷蔵庫が接続されているＬＡＮにおいて現在オンライン状態である第２のユーザを前記ターゲットユーザとして確定するステップを含んでもよい。
【０００９】
前記冷蔵庫を使用する必要のあるターゲットユーザを確定するステップは、
全地球測位システムを介して端末が現在位置している位置情報を取得するステップと、
前記位置情報に基づいて、前記端末が前記冷蔵庫から所定距離以内に位置しているか否かを判断するステップと、
前記端末が前記所定距離以内に位置している場合、前記端末の第３のユーザを前記ターゲットユーザとして確定するステップと
を含んでもよく、
前記端末は予め前記冷蔵庫にバインディングされている。
【００１０】
前記冷蔵庫を使用する必要のあるターゲットユーザを確定するステップは、
前記冷蔵庫に接続されているカメラを介して前記ターゲットユーザを取得するステップを含んでもよい。
【００１１】
前記冷蔵庫を使用する必要のあるターゲットユーザを確定するステップは、
食事をする必要のある第４のユーザを前記ターゲットユーザとして確定するステップを含んでもよい。
【００１２】
前記ターゲットユーザの食品に対するターゲット嗜好情報を取得するステップは、
前記ターゲットユーザが前記冷蔵庫を使用したことがあるか否かを判断するステップと、
前記ターゲットユーザが前記冷蔵庫を使用したことがある場合、前記冷蔵庫に予め記憶されている前記ターゲットユーザの過去の嗜好情報を取得して前記ターゲット嗜好情報とするステップと、
前記ターゲットユーザが前記冷蔵庫を使用したことがない場合、前記冷蔵庫が接続されているＬＡＮを介して前記ターゲットユーザの前記ターゲット嗜好情報を検索するステップと
を含んでもよい。
【００１３】
前記冷蔵庫に現在保存されている食品からターゲット食品を確定するステップは、
前記冷蔵庫の内部に設けられたカメラを介して前記現在保存されている食品から前記ターゲット食品を確定するステップを含んでもよい。
【００１４】
前記ターゲット嗜好情報はターゲット食品食事量をさらに含み、
前記方法は、
前記ターゲット食品食事量に基づいて、前記冷蔵庫内の前記ターゲット食品の現在保存量が十分であるか否かを判断するステップと、
前記現在保存量が十分でない場合、前記ターゲット食品の現在保存量が十分でない旨の通知情報を前記ターゲットユーザに送信するステップと
をさらに含んでもよい。
【００１５】
本発明の実施例に係る第２様態によれば、
冷蔵庫に適用される温度調節装置であって、
前記冷蔵庫を使用する必要のあるターゲットユーザを確定するための第１の確定モジュールと、
前記ターゲットユーザの食品に対するターゲット嗜好情報であって、少なくともターゲット食品種類、ターゲット食事時刻及びターゲット食品状態を含むターゲット嗜好情報を取得するための取得モジュールと、
前記ターゲット食品種類に基づいて、前記冷蔵庫に現在保存されている食品からターゲット食品を確定するための第２の確定モジュールと、
前記ターゲット食品が前記ターゲット食事時刻で前記ターゲット食品状態に達するように、前記ターゲット食品の保存エリアの温度を調節するための調節モジュールと
を備える装置を提供する。
【００１６】
前記第１の確定モジュールは、
現在既に冷蔵庫の管理アプリケーションにログインしている第１のユーザを前記ターゲットユーザとして確定するための第１の確定サブモジュールを備えてもよく、
前記冷蔵庫の管理アプリケーションは、予め前記冷蔵庫とバインディングされている。
【００１７】
前記第１の確定モジュールは、
前記冷蔵庫が接続されているＬＡＮにおいて現在オンライン状態である第２のユーザを前記ターゲットユーザとして確定するための第２の確定サブモジュールを備えてもよい。
【００１８】
前記第１の確定モジュールは、
全地球測位システムを介して端末が現在位置している位置情報を取得するための第１の取得サブモジュールと、
前記位置情報に基づいて、前記端末が前記冷蔵庫から所定距離以内に位置しているか否かを判断するための第１の判断サブモジュールと、
前記端末が前記所定距離以内に位置している場合、前記端末の第３のユーザを前記ターゲットユーザとして確定するための第３の確定サブモジュールと
を備えてもよく、
前記端末は予め前記冷蔵庫にバインディングされている。
【００１９】
前記第１の確定モジュールは、
前記冷蔵庫に接続されているカメラを介して前記ターゲットユーザを取得するための第２の取得サブモジュールを備えてもよい。
【００２０】
前記第１の確定モジュールは、
食事をする必要のある第４のユーザを前記ターゲットユーザとして確定するための第４の確定サブモジュールを備えてもよい。
【００２１】
前記取得モジュールは、
前記ターゲットユーザが前記冷蔵庫を使用したことがあるか否かを判断するための第２の判断サブモジュールと、
前記ターゲットユーザが前記冷蔵庫を使用したことがある場合、前記冷蔵庫に予め記憶されている前記ターゲットユーザの過去の嗜好情報を取得して前記ターゲット嗜好情報とするための第３の取得サブモジュールと、
前記ターゲットユーザが前記冷蔵庫を使用したことがない場合、前記冷蔵庫が接続されているＬＡＮを介して前記ターゲットユーザの前記ターゲット嗜好情報を検索するための検索サブモジュールと
を備えてもよい。
【００２２】
前記第２の確定モジュールは、
前記冷蔵庫の内部に設けられたカメラを介して前記現在保存されている食品から前記ターゲット食品を確定するための第５の確定サブモジュールを備えてもよい。
【００２３】
前記ターゲット嗜好情報はターゲット食品食事量をさらに含み、
前記装置は、
前記ターゲット食品食事量に基づいて、前記冷蔵庫内の前記ターゲット食品の現在保存量が十分であるか否かを判断するための判断モジュールと、
前記現在保存量が十分でない場合、前記ターゲット食品の現在保存量が十分でない旨の通知情報を前記ターゲットユーザに送信するための送信モジュールと
をさらに備えてもよい。
【００２４】
本発明の実施例に係る第３様態によれば、
プロセッサと、
前記プロセッサにより実行可能なインストラクションを記憶するためのメモリと
を備え、
前記プロセッサは、
前記冷蔵庫を使用する必要のあるターゲットユーザを確定し、
前記ターゲットユーザの食品に対するターゲット嗜好情報であって、少なくともターゲット食品種類、ターゲット食事時刻及びターゲット食品状態を含むターゲット嗜好情報を取得し、
前記ターゲット食品種類に基づいて、前記冷蔵庫に現在保存されている食品からターゲット食品を確定し、
前記ターゲット食品が前記ターゲット食事時刻で前記ターゲット食品状態に達するように、前記ターゲット食品の保存エリアの温度を調節する
ように構成される温度調節装置を提供する。
【００２５】
本発明の実施例に係る第４態様によれば、
プロセッサに実行されることにより、第１態様による前記方法を実現するプログラムを提供する。
【００２６】
本発明の実施例に係る第５態様によれば、
第４態様による前記プログラムが記録されている記録媒体を提供する。
【発明の効果】
【００２７】
本発明の実施例により提供された技術案によれば、以下のような有益な効果が得られる。
【００２８】
本発明の実施例において、冷蔵庫により、冷蔵庫を使用する必要のあるターゲットユーザのターゲット嗜好情報を自動的に取得し、取得された前記ターゲット嗜好情報に基づいて温度を調節することで、ターゲットユーザがターゲット食事時刻で冷蔵庫内から前記ターゲットユーザの所望のターゲット食品状態に達したターゲット食品を取得することができる。これにより、冷蔵庫の温度調節のスマート化レベルを高め、ユーザ体験を向上することができる。
【００２９】
本発明の実施例において、冷蔵庫により前記冷蔵庫を使用する必要のあるターゲットユーザを異なる方式により確定することができる。冷蔵庫は、さらに、冷蔵庫に予め記憶されている過去の嗜好情報から前記ターゲットユーザのターゲット嗜好情報を取得するか、または、前記冷蔵庫が接続されているＬＡＮを介して前記ターゲットユーザの前記ターゲット嗜好情報を検索し、自機の異なる各エリアの温度を自動的に調節することで、前記ターゲットユーザの嗜好を満足させることができる。これにより、冷蔵庫の温度調節のスマート化レベルを高め、ユーザ体験を向上することができる。
【００３０】
本発明の実施例において、さらに、冷蔵庫により、ターゲットユーザが必要とするターゲット食品のターゲット食品数量が十分であるか否かを自動的に判断し、十分でない場合、ターゲットユーザが前記ターゲット食品を適時に補充するように、前記ターゲットユーザに通知情報を送信することができる。これにより、冷蔵庫のスマート化レベルを高め、ユーザ体験を向上することができる。
【図面の簡単な説明】
【００３１】
以下の図面は、明細書に組み込まれて本願明細書の一部分となり、本願発明に係る実施例を示し、且つ明細書とともに、本発明の原理の説明に用いられる。
【図１】例示的な一実施例に係る一つの温度調節方法のフローチャートである。
【図２】例示的な一実施例に係るもう一つの温度調節方法のフローチャートである。
【図３】例示的な一実施例に係る一つの温度調節装置のブロック図である。
【図４】例示的な一実施例に係るもう一つの温度調節装置のブロック図である。
【図５】例示的な一実施例に係るもう一つの温度調節装置のブロック図である。
【図６】例示的な一実施例に係るもう一つの温度調節装置のブロック図である。
【図７】例示的な一実施例に係るもう一つの温度調節装置のブロック図である。
【図８】例示的な一実施例に係るもう一つの温度調節装置のブロック図である。
【図９】例示的な一実施例に係るもう一つの温度調節装置のブロック図である。
【図１０】例示的な一実施例に係るもう一つの温度調節装置のブロック図である。
【図１１】例示的な一実施例に係るもう一つの温度調節装置のブロック図である。
【図１２】例示的な一実施例に係る温度調節装置の構成を示す模式図である。
【発明を実施するための形態】
【００３２】
以下、図面に示されている例示的な実施例をさらに詳しく説明するようにする。以下の図面に関する説明において、別途の説明がない限り、異なる図面中の同一の符号は、同一又は類似する要素を示すこととする。以下の例示的実施例において説明する複数の実施形態は、本発明に係る全ての実施形態を代表するわけではない。逆に、それらは、添付された特許請求の範囲に記載の本発明の一部の態様に係る装置及び方法の例に過ぎない。
【００３３】
本発明に用いられる用語は、特定の実施例を説明する目的で使用されるものに過ぎず、本発明を限定するためのものではない。本発明及び添付された特許請求の範囲に記載の単数形式の「１種類」、「前記」及び「当該」とは、前後の文章においてその意味を明確に記載しない限り、複数形式の意味も含む。なお、本発明に記載の「及び／又は」とは、１つ又は複数の関連する羅列事項の何れの又は全ての組み合わせを意味する。
【００３４】
また、本発明は、第１、第２、第３等のような用語を用いて各種の情報を説明しているが、それらの情報はこれらの用語に限定されるものではない。これらの用語は、同一種類の情報同士を区分するためのものに過ぎない。例えば、本発明の範囲から逸脱しない範囲で、第１の情報を第２の情報と称してもよい。同様に、第２の情報を第１の情報と称してもよい。本明細書において用いる用語「……場合」は、上下文の内容により、「……とき」、「……と」又は「……に応じて」に解釈されてもよい。
【００３５】
図１は、例示的な一実施例に係る一つの温度調節方法のフローチャートである。前記方法は、冷蔵庫に適用され、図１に示すように以下のステップを含む。
【００３６】
ステップ１０１において、前記冷蔵庫を使用する必要のあるターゲットユーザを確定する。
【００３７】
本ステップにおいて、以下の方式のうちの１つ以上の方式を用いて前記ターゲットユーザを確定してもよい。
【００３８】
＜方式一＞現在既に冷蔵庫の管理アプリケーションにログインしている第１のユーザを前記ターゲットユーザとして確定する。ここで、前記冷蔵庫の管理アプリケーションは、予め前記冷蔵庫とバインディングされている。
【００３９】
第１のユーザが、予め前記冷蔵庫とバインディングされている冷蔵庫の管理アプリケーションにログインすると、冷蔵庫は、前記第１のユーザのユーザ情報を取得し、前記第１のユーザを前記ターゲットユーザとして確定する。
【００４０】
＜方式二＞前記冷蔵庫が接続されているＬＡＮにおいて現在オンライン状態である第２のユーザを前記ターゲットユーザとして確定する。
【００４１】
本発明の実施例において、家庭内ＬＡＮにログインしている第２のユーザを前記冷蔵庫を使用する必要のある前記ターゲットユーザとして確定してもよい。前記冷蔵庫は前記ＬＡＮに接続することができ、前記冷蔵庫により前記ＬＡＮにおいて現在オンライン状態である第２のユーザを自動的に取得し、取得された前記第２のユーザを前記ターゲットユーザとして確定してもよい。
【００４２】
＜方式三＞全地球測位システム（Ｇｌｏｂａｌ  Ｐｏｓｉｔｉｏｎｉｎｇ  Ｓｙｓｔｅｍ）情報によって前記ターゲットユーザを確定する。
【００４３】
前記ステップ１０１は、図１に示してはないが、以下のステップを含んでもよい。
【００４４】
ステップ１０１−１において、全地球測位システムを介して端末が現在位置している位置情報を取得する。ここで、前記端末は予め前記冷蔵庫にバインディングされている。
【００４５】
従来技術を用いて、全地球測位システムを介して予め前記冷蔵庫にバインディングされている少なくとも一つの端末が現在位置している前記位置情報を取得してもよい。
【００４６】
ステップ１０１−２において、前記位置情報に基づいて、前記端末が前記冷蔵庫から所定距離以内に位置しているか否かを判断する。前記端末が前記所定距離以内に位置している場合、ステップ１０１−３を実行する。
【００４７】
本ステップにおいて、前記位置情報に基づいて、前記端末が所定距離以内に位置しているか否かを判断してもよく、前記端末が前記所定距離以内に位置している場合、前記端末のユーザが短時間内に、例えば一時間以内に帰宅することができることを意味する。
【００４８】
ステップ１０１−３において、前記端末の第３のユーザを前記ターゲットユーザとして確定する。
【００４９】
本発明の実施例において、短時間で帰宅できる第３のユーザを、前記冷蔵庫を使用する必要のある前記ターゲットユーザとして確定してもよい。
【００５０】
＜方式四＞前記冷蔵庫に接続されているカメラを介して前記ターゲットユーザを取得する。
【００５１】
本方式において、冷蔵庫に接続されているカメラを介して現在在宅中のユーザを確定してもよい。ここで、冷蔵庫の外部例えば冷蔵庫の上方に設けられているカメラ、または既存の家庭用カメラを用いて、在宅中の第５のユーザを前記ターゲットユーザとして取得してもよい。
【００５２】
本発明の実施例において、前記冷蔵庫の上方に設けられたカメラを介して、最近の時間帯内に前記冷蔵庫を使用したことのある第６のユーザを前記ターゲットユーザとして確定してもよい。
【００５３】
＜方式五＞食事をする必要のある第４のユーザを前記ターゲットユーザとして確定する。
【００５４】
本方式において、前記冷蔵庫が接続されているＬＡＮを介して家族メンバーのスケジュール表、チャットログ又はメール等を照会することにより、当日に食事に来る人がいるか否かを、例えば、家に来て食事をするゲストがいるか否かを判断し、食事に来る第４のユーザを前記ターゲットユーザとして確定する。
【００５５】
ステップ１０２において、前記ターゲットユーザの食品に対するターゲット嗜好情報を取得する。ここで、前記ターゲット嗜好情報には、少なくともターゲット食品種類、ターゲット食事時刻及びターゲット食品状態が含まれている。
【００５６】
前記ステップ１０２は、図１に示してはないが、以下のステップを含んでもよい。
【００５７】
ステップ１０２−１において、前記ターゲットユーザが前記冷蔵庫を使用したことがあるか否かを判断する。
【００５８】
本ステップにおいて、冷蔵庫は、前記冷蔵庫を使用したことのあるユーザのユーザ情報を予め記憶することにより、前記ターゲットユーザが前記冷蔵庫を使用したことがあるか否かを自動的に判断することができる。前記ターゲットユーザが前記冷蔵庫を使用したことがある場合、ステップ１０２−２を実行し、そうでない場合、ステップ１０２−３を実行する。
【００５９】
ステップ１０２−２において、前記冷蔵庫に予め記憶されている前記ターゲットユーザの過去の嗜好情報を取得して前記ターゲット嗜好情報とする。
【００６０】
冷蔵庫に予め記憶されているユーザの嗜好情報のうち、前記ターゲットユーザに対応する過去の嗜好情報を前記ターゲット嗜好情報とする。前記ターゲット嗜好情報には、少なくともターゲット食品種類、ターゲット食事時刻及びターゲット食品状態が含まれてもよい。前記冷蔵庫は、前記ターゲットユーザが嘗て冷蔵庫を開けたとき選択したことのある食品の種類を呼び出して前記ターゲット食品種類とし、前記ターゲットユーザが食品を選択した時刻を呼び出して前記ターゲット食事時刻とし、また、前記ターゲットユーザが選択した食品の状態を呼び出して前記ターゲット食品状態としてもよい。
【００６１】
例えば、仮にターゲットユーザが朝９時に冷蔵庫から１本の黄色いバナナを取り出したことがあるとすれば、前記ターゲット嗜好情報のターゲット食品種類はバナナであり、ターゲット食事時刻は朝９時であり、ターゲット食品状態は完熟状態であると確定してもよい。当然のことながら、ユーザ体験をさらに向上するために、前記ターゲット食品種類を果物にまで上位化してもよい。これにより、冷蔵庫に現在保存されている食品にはバナナが含まれず、他の種類の果物例えばリンゴが含まれている場合であっても、ターゲットユーザのニーズを満たすことができる。
【００６２】
ステップ１０２−３において、前記冷蔵庫が接続されているＬＡＮを介して、前記ターゲットユーザの前記ターゲット嗜好情報を検索する。
【００６３】
前記冷蔵庫により前記ターゲットユーザが前記冷蔵庫を使用したことがないと判断された場合、即ち前記冷蔵庫自機には前記ターゲットユーザに関連する記録がない場合、前記冷蔵庫が接続されているＬＡＮを介して、前記ターゲットユーザの過去の好きな食品の種類等を検索して前記ターゲット嗜好情報とする。
【００６４】
例えば、前記ターゲットユーザがＬＡＮを介してある種類の食品、例えばステーキの料理方法を検索したことがあるとすれば、前記冷蔵庫は、前記ＬＡＮを介して、ブラウザのアクセス履歴情報を取得し、その中から前記ターゲットユーザの前記ターゲット嗜好情報を確定してもよい。
【００６５】
ステップ１０３において、前記ターゲット食品種類に基づいて、前記冷蔵庫に現在保存されている食品からターゲット食品を確定する。
【００６６】
前記冷蔵庫の内部に設けられたカメラを介して、前記現在保存されている食品から前記ターゲット食品を確定してもよい。例えば、前記冷蔵庫の内部に設けられたカメラを介して、前記冷蔵庫に現在保存されている食品にバナナ、ステーキ、セロリ、ミルク等が含まれていることを取得することができる。前記ターゲット嗜好情報のうちのターゲット食品種類に果物と野菜が含まれているとすれば、前記冷蔵庫に現在保存されている食品からバナナとセロリを前記ターゲット食品として確定することができる。
【００６７】
本発明の実施例において、冷蔵庫のスマート化レベルをさらに高めて、ユーザ体験を向上することができるために、ターゲットユーザが必要とするターゲット食品の数量が十分でない場合、前記ターゲットユーザに通知して、前記ターゲット食品を適時に補充するようにしてもよい。即ち、前記ターゲット嗜好情報は、ターゲット食品食事量をさらに含んでもよい。
【００６８】
前記方法は、図１に示してはないが、以下のステップを含んでもよい。
【００６９】
ステップ１０３−１において、前記ターゲット食品食事量に基づいて、前記冷蔵庫内の前記ターゲット食品の現在保存量が十分であるか否かを判断する。前記現在保存量が十分でなければ、ステップ１０３−２を実行する。
【００７０】
本ステップにおいて、前記ターゲット食品食事量に基づいて、前記冷蔵庫内の対応するターゲット食品の現在保存量が十分であるか否かを判断してもよい。例えば、前記ターゲットユーザが必要とするターゲット食品はステーキであり、ターゲット食品食事量は２個であるが、冷蔵庫内に現在保存しているステーキの数量は１枚しかない場合、前記冷蔵庫は、ターゲット食品の現在保存量が十分でないと判断してもよく、ステップ１０３−２を実行する必要がある。
【００７１】
ステップ１０３−２において、前記ターゲット食品の現在保存量が十分でない旨の通知情報を前記ターゲットユーザに送信する。
【００７２】
前記冷蔵庫は、対応するターゲット食品を補充するようターゲットユーザに通知するための通知情報を生成して、接続しているＬＡＮを介して前記ターゲットユーザに通知情報を送信してもよい。
【００７３】
ステップ１０４において、前記ターゲット食品が前記ターゲット食事時刻で前記ターゲット食品状態に達するように、前記ターゲット食品の保存エリアの温度を調節する。
【００７４】
前記冷蔵庫は、ターゲット食品が確定された後、前記ターゲット食品の保存エリアの温度を動的に調節することにより、最終的に、ターゲットユーザがターゲット食事時刻で前記冷蔵庫からターゲット食品状態に達したターゲット食品を取得できるようにする。
【００７５】
例えば、ターゲットユーザが通常朝９時に完熟した黄色のバナナを食べるが、前記冷蔵庫には現在未熟の緑のバナナしかない場合、前記冷蔵庫は、冷蔵エリアの温度を調節するとともに、前記冷蔵庫内のカメラを介して前記バナナが完熟した状態に達したか否かを継続的に判断することにより、ターゲットユーザが朝９時に冷蔵庫を開けた時には前記緑のバナナが完熟した状態に達するように確保することができる。
【００７６】
または、ターゲットユーザが、昼の１２時半に解凍されたステーキを取り出す必要がある場合、前記冷蔵庫は、冷凍エリアの温度を調節して、１２時半の前に予め冷凍エリアの温度を上昇させるとともに、前記冷蔵庫内のカメラを介して前記ステーキが解凍状態に達したか否かを継続的に判断することで、ターゲットユーザが１２時半に冷蔵庫を開けた時にはステーキが解凍されているように確保することができる。
【００７７】
上述の実施例において、冷蔵庫が、冷蔵庫を使用する必要のあるターゲットユーザのターゲット嗜好情報を自動的に取得して、取得された前記ターゲット嗜好情報に基づいて温度を調節することで、ターゲットユーザがターゲット食事時刻で冷蔵庫内から前記ターゲットユーザの所望のターゲット食品状態に達したターゲット食品を取り出せるようにしてもよい。これにより、冷蔵庫の温度調節のスマート化レベルを高め、ユーザ体験を向上することができる。
【００７８】
図２は、例示的な一実施例に係るもう一つの温度調節方法のフローチャートである。当該方法は、冷蔵庫に適用されてもよく、図２に示すように以下のステップを含む。
【００７９】
ステップ２０１において、前記冷蔵庫を使用する必要のあるターゲットユーザを確定する。
【００８０】
本ステップにおいて、現在既に冷蔵庫の管理アプリケーションにログインしている第１のユーザを前記ターゲットユーザとして確定してもよい。ここで、前記冷蔵庫の管理アプリケーションは、予め前記冷蔵庫とバインディングされている。さらに、家庭内ＬＡＮにログインしている第２のユーザを前記ターゲットユーザとしてもよい。さらに、全地球測位システムを介してユーザの端末の位置情報を取得し、そのうちの短時間で帰宅できる第３のユーザを最終的なターゲットユーザとしてもよい。さらに、前記冷蔵庫に接続されているカメラを介して現在在宅中または前記冷蔵庫を使用したことのあるユーザを前記ターゲットユーザとしてもよい。さらに、食事をする必要のある第４のユーザを前記ターゲットユーザとしてもよい。ここで、ターゲットユーザを確定する過程は、上述のステップ１０１に記載の過程と同様であるので、ここではその説明を省略することにする。
【００８１】
ステップ２０２において、前記ターゲットユーザが前記冷蔵庫を使用したことがあるか否かを判断する。
【００８２】
本ステップにおいて、冷蔵庫は、前記冷蔵庫を使用したことのあるユーザのユーザ情報を予め記憶することにより、前記ターゲットユーザが前記冷蔵庫を使用したことがあるか否かを自動的に判断することができる。前記ターゲットユーザが前記冷蔵庫を使用したことがある場合、ステップ２０３を実行し、そうでない場合、ステップ２０４を実行する。
【００８３】
ステップ２０３において、前記冷蔵庫に予め記憶されている前記ターゲットユーザの過去の嗜好情報を取得して前記ターゲット嗜好情報とする。
【００８４】
冷蔵庫に予め記憶されているユーザの嗜好情報のうち、前記ターゲットユーザに対応する過去の嗜好情報を前記ターゲット嗜好情報とする。前記ターゲット嗜好情報には、少なくともターゲット食品種類、ターゲット食事時刻及びターゲット食品状態が含まれてもよい。前記冷蔵庫は、前記ターゲットユーザが嘗て冷蔵庫を開けたとき選択したことのある食品の種類を呼び出して前記ターゲット食品種類とし、前記ターゲットユーザが食品を選択した時刻を呼び出して前記ターゲット食事時刻とし、また、前記ターゲットユーザが選択した食品の状態を呼び出して前記ターゲット食品状態としてもよい。
【００８５】
ステップ２０４において、前記冷蔵庫が接続されているＬＡＮを介して、前記ターゲットユーザの前記ターゲット嗜好情報を検索する。
【００８６】
前記冷蔵庫により前記ターゲットユーザが前記冷蔵庫を使用したことがないと判断された場合、即ち前記冷蔵庫自機には前記ターゲットユーザに関する記録がない場合、前記冷蔵庫が接続されているＬＡＮを介して、前記ターゲットユーザの過去の好きな食品の種類等を検索して前記ターゲット嗜好情報とする。例えば、前記ターゲットユーザがＬＡＮを介してある種類の食品、例えばステーキの料理方法を検索したことがあるとすれば、前記冷蔵庫は、前記ＬＡＮを介して、ブラウザのアクセス履歴情報を取得し、その中から前記ターゲットユーザの前記ターゲット嗜好情報を確定してもよい。
【００８７】
ステップ２０５において、取得された前記ターゲット食品種類に基づいて  、前記冷蔵庫に現在保存されている食品からターゲット食品を確定する。
【００８８】
前記冷蔵庫の内部に設けられたカメラを介して、前記現在保存されている食品から前記ターゲット食品を確定してもよい。例えば、前記冷蔵庫の内部に設けられたカメラを介して、前記冷蔵庫に現在保存されている食品にバナナ、ステーキ、セロリ、ミルク等が含まれていることを取得することができる。前記ターゲット嗜好情報のうちのターゲット食品種類に果物と野菜が含まれているとすれば、前記冷蔵庫に現在保存されている食品からバナナとセロリを前記ターゲット食品として確定することができる。
【００８９】
ステップ２０６において、前記ターゲット食品食事量に基づいて、前記冷蔵庫内の前記ターゲット食品の現在保存量が十分であるか否かを判断する。前記現在保存量が十分でない場合、ステップ２０７を実行し、そうでない場合、直接ステップ２０８を実行する。
【００９０】
本ステップにおいて、前記ターゲット食品食事量に基づいて、前記冷蔵庫内の対応するターゲット食品の現在保存量が十分であるか否かを判断してもよい。前記冷蔵庫は、ターゲット食品の現在保存量が十分でないと判断された場合、ステップ２０７を実行する必要がある。
【００９１】
ステップ２０７において、前記ターゲット食品の現在保存量が十分でない旨の通知情報を前記ターゲットユーザに送信する。
【００９２】
前記冷蔵庫は、対応するターゲット食品を補充するようターゲットユーザに通知するための通知情報を生成して、接続しているＬＡＮを介して前記ターゲットユーザに通知情報を送信してもよい。
【００９３】
ステップ２０８において、前記ターゲット食品が前記ターゲット食事時刻で前記ターゲット食品状態に達するように、前記ターゲット食品の保存エリアの温度を調節する。
【００９４】
前記冷蔵庫は、ターゲット食品が確定された後、前記ターゲット食品の保存エリアの温度を動的に調節することにより、最終的に、ターゲットユーザがターゲット食事時刻で前記冷蔵庫からターゲット食品状態に達したターゲット食品を取得できるようにする。
【００９５】
以下、上述の過程について具体的な例を挙げながら説明するようにする。
【００９６】
前記冷蔵庫が接続されているＬＡＮを介して、現在オンライン状態にあるユーザとしてユーザＡとユーザＢを含むと確定するとともに、全地球測位システムを介してユーザＣの端末の位置情報を確定して、前記位置情報に基づいて、前記端末が前記冷蔵庫から所定距離以内に位置するか否かを判断し、前記端末が前記所定距離以内に位置している場合、ユーザＣが短時間で帰宅できると判断する。なお、前記冷蔵庫は、前記ＬＡＮを介して家族メンバーのスケジュール表を照会することにより、当日にユーザＤが家に来て食事をすると判断する。これで、前記冷蔵庫は、最終的に、ターゲットユーザとしてユーザＡ、ユーザＢ、ユーザＣ及びユーザＤを含むと確定する。
【００９７】
前記冷蔵庫は、ユーザＡ、ユーザＢとユーザＣが前記冷蔵庫を使用したことがあると判断された場合、前記冷蔵庫に予め記憶されている前記ターゲットユーザの過去の嗜好情報を取得してターゲット嗜好情報とする。但し、ユーザＡは夜６時に冷蔵庫から野菜を取り出すことを、ユーザＢは夜７時に冷蔵庫から完熟した果物を２個取り出すことを、ユーザＣは夜１１時に冷蔵庫から冷藏保存されたミルクを１本取り出すことを希望している。ユーザＤは、前記冷蔵庫を使用したことがないが、ユーザＤとユーザＡとのチャットログから見ると、ユーザＤは夜６時に前記冷蔵庫から解凍されたステーキを２枚取り出すことを希望している。
【００９８】
前記冷蔵庫は、上述のターゲット嗜好情報に基づいて、前記冷蔵庫に現在保存されている食品からセロリ、リンゴ、ミルクとステーキをターゲット食品として確定する。このとき、さらに、ターゲット食品食事量に基づいて、前記冷蔵庫内の前記ターゲット食品の現在保存量が十分であるか否かを判断してもよい。現在冷蔵庫内に果物が１個しかない場合、前記冷蔵庫は、果物の数量が十分でない旨をユーザに通知するための通知情報を生成して、前記ＬＡＮを介してユーザＢに送信してもよい。
【００９９】
前記冷蔵庫は、前に確定されたターゲット嗜好情報に基づいて、異なる各エリアの温度を調節することで、例えば冷凍エリアの温度を上昇させることにより、ユーザＤが６時半前に冷凍エリアから解凍されたステーキを取り出せるようにすることで、ターゲットユーザのニーズを満たすことができる。
【０１００】
上述の実施例において、冷蔵庫により前記冷蔵庫を使用する必要のあるターゲットユーザを異なる方式により確定することができる。冷蔵庫は、さらに、冷蔵庫に予め記憶されている過去の嗜好情報から前記ターゲットユーザのターゲット嗜好情報を取得するか、または、前記冷蔵庫が接続されているＬＡＮを介して、前記ターゲットユーザの前記ターゲット嗜好情報を検索し、自機の異なる各エリアの温度を自動的に調節することで、前記ターゲットユーザの嗜好を満足させることができる。なお、冷蔵庫は、ターゲットユーザが必要とするターゲット食品のターゲット食品数量が十分であるか否かを自動的に判断してもよい。十分でない場合、ターゲットユーザが前記ターゲット食品を適時に補充するように、前記ターゲットユーザに通知情報を送信する。これにより、冷蔵庫のスマート化レベルを高め、ユーザ体験を向上することができる。
【０１０１】
本発明は、さらに、上述の方法実施例に対応する装置実施例を提供する。
【０１０２】
図３は、例示的な一実施例に係る一つの温度調節装置のブロック図である。前記装置は、冷蔵庫に適用されてもよく、第１の確定モジュール３１０、取得モジュール３２０、第２の確定モジュール３３０及び調節モジュール３４０を備える。
【０１０３】
前記第１の確定モジュール３１０は、前記冷蔵庫を使用する必要のあるターゲットユーザを確定するように構成される。
【０１０４】
前記取得モジュール３２０は、前記ターゲットユーザの食品に対するターゲット嗜好情報を取得するように構成される。ここで、前記ターゲット嗜好情報には、少なくともターゲット食品種類、ターゲット食事時刻及びターゲット食品状態が含まれている。
【０１０５】
前記第２の確定モジュール３３０は、前記ターゲット食品種類に基づいて、前記冷蔵庫に現在保存されている食品からターゲット食品を確定するように構成される。
【０１０６】
前記調節モジュール３４０は、前記ターゲット食品が前記ターゲット食事時刻で前記ターゲット食品状態に達するように、前記ターゲット食品の保存エリアの温度を調節するように構成される。
【０１０７】
上述の実施例において、冷蔵庫が、冷蔵庫を使用する必要のあるターゲットユーザのターゲット嗜好情報を自動的に取得して、取得された前記ターゲット嗜好情報に基づいて温度を調節することで、ターゲットユーザがターゲット食事時刻で冷蔵庫内から前記ターゲットユーザの所望のターゲット食品状態に達したターゲット食品を取り出せるようにしてもよい。これにより、冷蔵庫の温度調節のスマート化レベルを高め、ユーザ体験を向上することができる。
【０１０８】
図４は、例示的な一実施例に係るもう一つの温度調節装置のブロック図である。当該実施例は、前記図３に示す実施例の下で、前記第１の確定モジュール３１０が図４に示すように第１の確定サブモジュール３１１を備える。
【０１０９】
ここで、前記第１の確定サブモジュール３１１は、現在既に冷蔵庫の管理アプリケーションにログインしている第１のユーザを前記ターゲットユーザとして確定するように構成される。ここで、前記冷蔵庫の管理アプリケーションは、予め前記冷蔵庫とバインディングされている。
【０１１０】
上述の実施例において、冷蔵庫は、冷蔵庫の管理アプリケーションにログインしている第１のユーザのユーザ情報を取得し、前記第１のユーザを前記ターゲットユーザとしてもよい。これにより、温度調節のスマート化レベルを高め、ユーザ体験を向上することができる。
【０１１１】
図５は、例示的な一実施例に係るもう一つの温度調節装置のブロック図である。当該実施例は、前記図３に示す実施例の下で、前記第１の確定モジュール３１０が図５に示すように第２の確定サブモジュール３１２を備える。
【０１１２】
ここで、前記第２の確定サブモジュール３１２は、前記冷蔵庫が接続されているＬＡＮにおいて現在オンライン状態である第２のユーザを前記ターゲットユーザとして確定するように構成される。
【０１１３】
上述の実施例において、冷蔵庫は、前記冷蔵庫が接続されているＬＡＮにおいて現在オンライン状態である第２のユーザを前記ターゲットユーザとしてもよい。これにより、温度調節のスマート化レベルを高め、ユーザ体験を向上することができる。
【０１１４】
図６は、例示的な一実施例に係るもう一つの温度調節装置のブロック図である。当該実施例は、前記図３に示す実施例の下で、前記第１の確定モジュール３１０が、図６に示すように第１の取得サブモジュール３１３、第１の判断サブモジュール３１４と第３の確定サブモジュール３１５を備える。
【０１１５】
ここで、前記第１の取得サブモジュール３１３は、全地球測位システムを介して端末が現在位置している位置情報を取得するように構成される。ここで、前記端末は予め前記冷蔵庫にバインディングされている。
【０１１６】
第１の判断サブモジュール３１４は、前記位置情報に基づいて、前記端末が前記冷蔵庫から所定距離以内に位置しているか否かを判断するように構成される。
【０１１７】
第３の確定サブモジュール３１５は、前記端末が前記所定距離以内に位置している場合、前記端末の第３のユーザを前記ターゲットユーザとして確定するように構成される。
【０１１８】
上述の実施例において、冷蔵庫は、全地球測位システムを介して端末の位置情報を取得することで、短時間で帰宅できる第３のユーザを前記ターゲットユーザとしてもよい。これにより、温度調節のスマート化レベルを高め、ユーザ体験を向上することができる。
【０１１９】
図７は、例示的な一実施例に係るもう一つの温度調節装置のブロック図である。当該実施例は、前記図３に示す実施例の下で、前記第１の確定モジュール３１０が、図７に示すように第２の取得サブモジュール３１６を備える。
【０１２０】
ここで、前記第２の取得サブモジュール３１６は、前記冷蔵庫に接続されているカメラを介して前記ターゲットユーザを取得するように構成される。
【０１２１】
上述の実施例において、冷蔵庫は、前記冷蔵庫に接続されているカメラを介して現在在宅中の第５のユーザを確定して前記ターゲットユーザとしてもよく、または、前記カメラを介して、最近の時間帯内に前記冷蔵庫を開けたことのある第６のユーザを取得して前記ターゲットユーザとしてもよい。これにより、温度調節のスマート化レベルを高め、ユーザ体験を向上することができる。
【０１２２】
図８は、例示的な一実施例に係るもう一つの温度調節装置のブロック図である。当該実施例は、前記図３に示す実施例の下で、前記第１の確定モジュール３１０が、図８に示すように第４の確定サブモジュール３１７を備える。
【０１２３】
ここで、前記第４の確定サブモジュール３１７は、食事をする必要のある第４のユーザを前記ターゲットユーザとして確定するように構成される。
【０１２４】
上述の実施例において、前記冷蔵庫が接続されているＬＡＮを介して家族メンバーのスケジュール表、チャットログまたはメール等を照会することにより、当日に食事に来る人がいるか否かを、例えば、家に来て食事をするゲストがいるか否かを判断し、食事に来る第４のユーザを前記ターゲットユーザとして確定する。これにより、温度調節のスマート化レベルを高め、ユーザ体験を向上することができる。
【０１２５】
図９は、例示的な一実施例に係るもう一つの温度調節装置のブロック図である。当該実施例は、前記図３に示す実施例の下で、前記取得モジュール３２０が、図９に示すように第２の判断サブモジュール３２１、第３の取得サブモジュール３２２及び検索サブモジュール３２３を備える。
【０１２６】
ここで、前記第２の判断サブモジュール３２１は、前記ターゲットユーザが前記冷蔵庫を使用したことがあるか否かを判断するように構成される。
【０１２７】
第３の取得サブモジュール３２２は、前記ターゲットユーザが前記冷蔵庫を使用したことがある場合、前記冷蔵庫に予め記憶されている前記ターゲットユーザの過去の嗜好情報を取得して前記ターゲット嗜好情報とするように構成される。
【０１２８】
検索サブモジュール３２３は、前記ターゲットユーザが前記冷蔵庫を使用したことがない場合、前記冷蔵庫が接続されているＬＡＮを介して前記ターゲットユーザの前記ターゲット嗜好情報を検索するように構成される。
【０１２９】
上述の実施例において、冷蔵庫は、ターゲットユーザが前記冷蔵庫を使用したことがあるか否かを判断し、さらに、異なる方式により前記ターゲットユーザのターゲット嗜好情報を判断することができる。これにより、ターゲット嗜好情報の確実性が確保でき、ユーザ体験を向上することができる。
【０１３０】
図１０は、例示的な一実施例に係るもう一つの温度調節装置のブロック図である。当該実施例は、前記図３に示す実施例の下で、前記第２の確定モジュール３３０が、図１０に示すように第５の確定サブモジュール３３１を備える。
【０１３１】
ここで、前記第５の確定サブモジュール３３１は、前記冷蔵庫の内部に設けられたカメラを介して前記現在保存されている食品から前記ターゲット食品を確定するように構成される。
【０１３２】
上述の実施例において、前記冷蔵庫は、その内部に設けられた前記カメラを介して、前記現在保存されている食品から前記ターゲット食品を確定することができる。これによって、冷蔵庫の温度調節のスマート化レベルを高めることができる。
【０１３３】
図１１は、例示的な一実施例に係るもう一つの温度調節装置のブロック図である。当該実施例は、前記図３に示す実施例の下で、
前記ターゲット嗜好情報はターゲット食品食事量をさらに含み、
前記装置は、図１１に示すように判断モジュール３５０と送信モジュール３６０をさらに備える。
【０１３４】
ここで、前記判断モジュール３５０は、前記ターゲット食品食事量に基づいて、前記冷蔵庫内の前記ターゲット食品の現在保存量が十分であるか否かを判断するように構成される。
【０１３５】
送信モジュール３６０は、前記現在保存量が十分でない場合、前記ターゲット食品の現在保存量が十分でない旨の通知情報を前記ターゲットユーザに送信するように構成される。
【０１３６】
上述の実施例において、冷蔵庫によりターゲットユーザが必要とするターゲット食品のターゲット食品数量が十分であるか否かを自動的に判断してもよく、十分でない場合、ターゲットユーザが前記ターゲット食品を適時に補充するように、前記ターゲットユーザに通知情報を送信する。これによって、冷蔵庫のスマート化レベルを高め、ユーザ体験を向上することができる。
【０１３７】
上述の実施例に係る装置において、各ユニットの機能と作用の具体的な実現過程については、上述の方法の対応するステップの実現過程を参照すればよく、ここではその説明を省略することにする。
【０１３８】
装置実施例の場合、方法実施例にほぼ対応しているため、その関連する内容については方法実施例の内容を参照すればよい。以上に記載された装置実施例は、ただ例示的なものに過ぎず、分離可能な部品として説明しているユニットは、物理的に分離可能または分離不可能なものであってもよい。ユニットとして示された部品は、物理的なユニットであってもよくそうでなくてもよい。即ち、一つの位置に位置してもよく、複数のネットワークユニットに分布されてもよい。実際のニーズに応じて、そのうちの一部又は全部のモジュールを選択して本発明の目的を実現してもよい。当業者であれば、創造的な労働を経なくても、これらを理解・実施することができるだろう。
【０１３９】
これに対し、本発明は、さらに、
冷蔵庫に適用される温度調節装置において、
プロセッサと、
プロセッサにより実行可能なインストラクションを記憶するためのメモリと
を備え、
前記プロセッサは、
前記冷蔵庫を使用する必要のあるターゲットユーザを確定し、
前記ターゲットユーザの食品に対するターゲット嗜好情報であって、少なくともターゲット食品種類、ターゲット食事時刻及びターゲット食品状態を含むターゲット嗜好情報を取得し、
前記ターゲット食品種類に基づいて、前記冷蔵庫に現在保存されている食品からターゲット食品を確定し、
前記ターゲット食品が前記ターゲット食事時刻で前記ターゲット食品状態に達するように、前記ターゲット食品の保存エリアの温度を調節するように構成される
温度調節装置を提供する。
【０１４０】
図１２は、例示的な一実施例に係る温度調節装置１２００の構成を示す模式図である。例えば、装置１２００は冷蔵庫として提供されてもよい。装置１２００は、図１２に示すように、１つ以上のプロセッサを含む処理アセンブリ１２２２と、処理アセンブリ１２２２により実行される例えばアプリケーションプログラムなどのインストラクションを記憶するためのメモリ１２３２を代表とするメモリリソースとを含む。メモリ１２３２に記憶されるアプリケーションプログラムは、それぞれ一組のインストラクションに対応する１つ以上のモジュールを含んでもよい。なお、処理アセンブリ１３２２は、インストラクションを実行することにより、温度調節方法を実行するように構成される。
【０１４１】
装置１２００は、さらに、装置１２００の電源管理を実施するように構成される電源アセンブリ１２２６と、装置１２００をネットワークに接続させるように構成される有線又は無線ネットワークインターフェース１２５０と、入力／出力（Ｉ／Ｏ）インターフェース１２５８とを備えてもよい。装置１２００は、メモリ１２３２に記憶された、例えばＷｉｎｄｏｗｓ  ＳｅｒｖｅｒＴＭ、ＭａｃＯＳ  ＸＴＭ、ＵｎｉｘＴＭ，  ＬｉｎｕｘＴＭ、ＦｒｅｅＢＳＤＴＭなどのオペレーティングシステムに基づいて操作することができる。
【０１４２】
当業者であれば、本願明細書を参照し、本願明細書に開示された発明を実施することにより、本発明の他の実施形態を容易に取得することができる。本願は、本発明の一般的な原理を遵守し且つ本願明細書に開示されていない当該技術分野の公知知識又は通常の技術手段を含む本発明に対する任意の変形、用途又は適応的な変更を含むことを趣旨とする。明細書及び実施例は、単に例示的なものに過ぎず、本発明の本当の範囲及び趣旨は添付される特許請求の範囲により示される。
【０１４３】
なお、本発明は、上述の説明及び図面により示された特定の構成に限定されず、その範囲を離脱しない範囲で、様々な補正及び変更を実施してもよい。本発明の範囲は、添付される特許請求の範囲のみにより限定される。
【図１】
0006336211.tif 000002
【図２】
0006336211.tif 000003
【図３】
0006336211.tif 000004
【図４】
0006336211.tif 000005
【図５】
0006336211.tif 000006
【図６】
0006336211.tif 000007
【図７】
0006336211.tif 000008
【図８】
0006336211.tif 000009
【図９】
0006336211.tif 000010
【図１０】
0006336211.tif 000011
【図１１】
0006336211.tif 000012
【図１２】
0006336211.tif 000013